(57)【要約】【課題】蓋体４を回動することにより芯出口を開閉する替芯ケースにおいて、蓋体４を回動する操作によって、芯３を１本のみ排出したり、芯３を複数本同時に排出することを選択できる替芯ケースを提供する。【解決手段】本体１に取り付けられる蓋固定部材２に、芯３が１本のみ通過可能な小芯出口２Ａと芯３を複数本同時に通過可能な大芯出口２Ｂを形成する。そして、蓋体４を回動することにより蓋体４の芯通路４Ｅを蓋固定部材２の小芯出口２Ａに合致した場合には芯３が１本のみ排出され、また、蓋体４を回動することにより蓋体４の芯通路４Ｅを蓋固定部材２の大芯出口２Ｂに合致した場合には、複数本の芯３が排出される。【選択図】        図１
2008073859.tif 000002
【特許請求の範囲】
【請求項１】
蓋体を回動することにより芯出口を開閉する替芯ケースにおいて、本体の上部に蓋固定部材を取り付け、この蓋固定部材に芯が１本のみ通過可能な小芯出口と芯が複数本同時に通過可能な大芯出口を形成し、蓋体を回動することにより蓋体の芯通路を蓋固定部材の小芯出口に合致した場合には芯が１本のみ排出され、また、蓋体を回動することにより蓋体の芯通路を蓋固定部材の大芯出口に合致した場合には、複数本の芯が排出されることを特徴とする替芯ケース。
【請求項２】
蓋固定部材に非円形の取付穴を形成し、更に、蓋固定部材に前記取付穴を横切る切溝を形成して取付穴が拡開可能に構成するとともに、蓋体の下部を半円形に形成し、この下部に表面より裏方向に適宜の幅の隆起部を形成し、かつ、蓋体の上部に左右に伸びた芯通路を形成し、更に、蓋体に断面非円形の回転軸を形成し、この蓋体の回転軸を前記蓋固定部材の取付穴に回動可能に取り付け、蓋体の下部に形成した隆起部により蓋固定部材の小芯出口と大芯出口を閉じた時、及び、蓋体の芯通路と蓋固定部材の小芯出口を合致させて芯が１本のみ通過可能に構成した時、更に、蓋体の芯通路と蓋固定部材の大芯出口を合致させて芯が複数本同時に通過可能に構成した時に、それぞれ蓋体の回転軸と蓋固定部材の取付穴が係合することを特徴とする請求項１記載の替芯ケース。
【発明の詳細な説明】
【技術分野】
【０００１】
本発明は、シャープペンシルの芯を収納するための替芯ケースに関するものである。
【背景技術】
【０００２】
従来、蓋体を回動し、蓋体を立てることにより芯出口を開くとともに、蓋体を横に倒すことにより芯出口を閉じる替芯ケースが知られている。（特許文献１参照）
【特許文献１】特許第３６０７４６０号公報
【発明の開示】
【発明が解決しようとする課題】
【０００３】
しかしながら、上記した替芯ケースは、芯を１本のみ排出したり複数本同時に排出するといった選択ができないという欠点があった。
本発明は、上記課題を解消する替芯ケースを提供することを目的とするものである。
【課題を解決するための手段】
【０００４】
本発明は、蓋体を回動することにより芯出口を開閉する替芯ケースにおいて、本体の上部に蓋固定部材を取り付け、この蓋固定部材に芯が１本のみ通過可能な小芯出口と芯が複数本同時に通過可能な大芯出口を形成し、蓋体を回動することにより蓋体の芯通路を蓋固定部材の小芯出口に合致した場合には芯が１本のみ排出され、また、蓋体を回動することにより蓋体の芯通路を蓋固定部材の大芯出口に合致した場合には、複数本の芯が排出されることを第１の要旨とする。
【０００５】
また、蓋固定部材に非円形の取付穴を形成し、更に、蓋固定部材に前記取付穴を横切る切溝を形成して取付穴が拡開可能に構成するとともに、蓋体の下部を半円形に形成し、この下部に表壁より裏方向に適宜の幅の隆起部を形成し、かつ、蓋体の上部に左右に伸びた芯通路を形成し、更に、蓋体に断面非円形の回転軸を形成し、この蓋体の回転軸を前記蓋固定部材の取付穴に回動可能に取り付け、蓋体の下部に形成した隆起部により蓋固定部材の小芯出口と大芯出口を閉じた時、及び、蓋体の芯通路と蓋固定部材の小芯出口を合致させて芯が１本のみ通過可能に構成した時、更に、蓋体の芯通路と蓋固定部材の大芯出口を合致させて芯が複数本同時に通過可能に構成した時に、それぞれ蓋体の回転軸と蓋固定部材の取付穴が係合することを第２の要旨とする。
【発明の効果】
【０００６】
本発明は、蓋体の芯通路を蓋固定部材の小芯出口に合致すれば芯を１本のみ排出することができ、また、蓋体の芯通路を蓋固定部材の大芯出口に合致すれば、複数本の芯を同時に排出することができるので、使用者が必要とする本数を容易に排出することができる効果が奏せられるものである。
【発明を実施するための最良の形態】
【０００７】
蓋体を回動させて蓋体の芯通路を蓋固定部材の小芯出口か大芯出口に合致させ、芯を１本のみ排出させたり芯を複数本同時に排出させることができる替芯ケースを実現した。
【実施例１】
【０００８】
以下、図１、図２、図３、図４、図５及び図６に基づいて本発明における実施例１の替芯ケースを説明する。尚、図１の上側を上方とし、下側を下方とする。また、図１の左側を左方向とし、右側を右方向とする。本体１は透明な合成樹脂製で、上端が開口した箱型に形成されている。この本体１は、上部の側壁内面が凹陥されて取付部１Ａが形成される。更に、本体１の上端は、側壁が切り欠かれて構成される。この本体１の裏壁の上方には、図３に示したように、両側に平坦部を有する小判型の開口穴１Ｂが形成されている。
【０００９】
また、蓋固定部材２の左側には芯３が１本のみ通過可能な小芯出口２Ａが形成され、尚且つ、蓋固定部材２の右側には芯３が３本程度通過可能な大芯出口２Ｂが形成されている。更に、蓋固定部材２には、ほぼ中間部に上方に突出した上部２Ｃが形成され、この上部２Ｃには、略正方形で角が丸められた取付穴２Ｄが形成されている。更に、取付穴２Ｄのほぼ中心を横切る直線状の切溝２Ｅが上端より下方に伸びて形成され、取付穴２Ｄは適宜拡開可能に構成されている。更に、蓋固定部材２には、図３に示したように両側に平坦部を有する小判型の突起２Ｆが構成されている。
【００１０】
更に、蓋体４の中央には表壁４Ａより裏方向に隆起する回転軸４Ｂが形成されている。この回転軸４Ｂの断面は、略正方形で角が丸められて形成されている。更に、蓋体４の上部には、表壁４Ａより裏方向に隆起した上端リブ４Ｃと、上端リブ４Ｃと平行に形成された中間リブ４Ｄにより芯通路４Ｅが形成されている。尚、図示していないが、芯通路は貫通孔により形成することも可能である。前記芯通路４Ｅは前記蓋固定部材２の小芯出口２Ａ及び大芯出口２Ｂより大きく形成される。更に、上端リブ４Ｃの上面には、滑り止め用の突起４Ｆを複数形成する。また、蓋体４の下部４Ｇは半円形に形成され、この下部４Ｇの縁に表壁４Ａより裏方向に適宜の幅の隆起部４Ｈを形成する。
【００１１】
以上説明した蓋体４の回転軸４Ｂが蓋固定部材２の取付穴２Ｄに互いの略正方形が合わされて嵌め込まれる。すると、蓋固定部材２の小芯出口２Ａと大芯出口２Ｂが蓋体４の隆起部４Ｈにより閉じられる。この状態で蓋固定部材２を前記本体１の上方より挿入し、蓋固定部材２の下部を本体１の取付部１Ａに嵌合し、蓋固定部材２の突起２Ｆを本体１の開口穴１Ｂに嵌合する。尚、前述したように、蓋体４の略正方形の回転軸４Ｂが蓋固定部材２の略正方形の取付穴２Ｄに係合しているので、蓋固定部材２に対して蓋体４が揺動する恐れは全くない。更に、本体１内には複数の芯３が収納され、替芯ケースが構成される。
【００１２】
次に、この替芯ケースから芯３を取り出す為には、蓋体４の上端リブ４Ｃの上面を指で操作して回転させる。この時、芯３を１本づつ排出したい場合には、蓋体４を左に回転させる。すると、蓋体４の回転軸４Ｂと蓋固定部材２の取付穴２Ｄの係合が外れる。この時、取付穴２Ｄには切溝２Ｅが設けられているので拡開することができる。更に、蓋体４を左に回転させると、蓋体４の中間リブ４Ｄが蓋固定部材２の上部２Ｃの左側面２Ｇに当接する。同時に、蓋固定部材２の取付穴２Ｄと蓋体４の回転軸４Ｂが互いの略正方形が合致して係合する。この時、蓋体４の芯通路４Ｅは垂直に位置して蓋固定部材２の小芯出口２Ａと合致し、小芯出口２Ａが開かれて図５に示した状態となる。したがって、替芯ケースの上部を下に向ければ小芯出口２Ａより芯３が１本づつ排出される。小芯出口２Ａを閉じる場合には、まず蓋体４を右に回転させて蓋体４の回転軸４Ｂと蓋固定部材２の取付穴２Ｄの係合を外す。更に、蓋体４を右に回転させ、９０度回転した所で再び蓋体４の回転軸４Ｂが蓋固定部材２の取付穴２Ｄに係合し、図１の状態に復帰する。
【００１３】
また、芯３を複数本同時に排出したい場合には、図１の状態から蓋体４を右に回転させる。すると、蓋体４の回転軸４Ｂと蓋固定部材２の取付穴２Ｄの係合が外れる。この時、取付穴２Ｄには切溝２Ｅが設けられているので拡開することができる。更に、蓋体４を左に回転させると、蓋体４の中間リブ４Ｄが蓋固定部材２の上部２Ｃの右側面２Ｈに当接する。同時に、蓋固定部材２の取付穴２Ｄと蓋体４の回転軸４Ｂが、互いの略正方形が合致して係合する。この時、蓋体４の芯通路４Ｅは垂直に位置して蓋固定部材２の大芯出口２Ｂと合致し、大芯出口２Ｂが開かれて図６に示した状態となる。したがって、替芯ケースの上部を下にむければ大芯出口２Ｂより芯３が３本同時に排出される。大芯出口２Ｂを閉じる場合には、まず蓋体４を左に回転させて蓋体４の回転軸４Ｂと蓋固定部材２の取付穴２Ｄの係合を外す。更に、蓋体４を左に回転させ、９０度回転した所で再び蓋体４の回転軸４Ｂが蓋固定部材２の取付穴２Ｄに係合し、図１の状態に復帰する。
【００１４】
尚、図７に示したように、蓋体１４の回転軸１４Ｂを断面が略正方形に形成し、この角を丸めて形成するとともに各辺の中間がわずかに凹んで構成することも可能である。
【実施例２】
【００１５】
図８、図９及び図１０に基づいて本発明における実施例２の蓋体２４の回転軸２４Ｂと蓋固定部材１２の取付穴１２Ｄの係合手段を説明する。尚、図１と同一の部材は同一の符号を付してその説明を省略する。蓋固定部材１２の上部１２Ｃに形成された断面円形の取付穴１２Ｄに、左右対象に係合凹部１２Ｉを形成する。更に、取付穴１２Ｄのほぼ中心を横切る直線状の切溝１２Ｅが上部１２Ｃの上端より下方に伸びて形成され、取付穴１２Ｄは適宜拡開可能に構成されている。
【００１６】
また、蓋体２４の中央には表壁より裏方向に隆起する回転軸２４Ｂが形成される。この回転軸２４Ｂの断面は円形でかつ上方に突部２４Ｉが形成される。
【００１７】
以上説明した蓋体２４の回転軸２４Ｂが蓋固定部材１２の取付穴１２Ｄに嵌め込まれ、回転軸２４Ｂの上方に形成された突部２４Ｉが切溝１２Ｅに係合され図８に示した状態となる。
【００１８】
次に、芯３を１本づつ排出したい場合には、図８の状態から蓋体２４を左に回転させる。すると、蓋体２４の回転軸２４Ｂに形成した突部２４Ｉが切溝１２Ｅより外れる。更に、蓋体２４を左に回転させると、蓋体２４の中間リブ２４Ｄが蓋固定部材１２の上部１２Ｃの左側面１２Ｇに当接される。同時に、回転軸２４Ｂに形成された突部２４Ｉが取付穴１２Ｄの左側の係合凹部１２Ｉに係合される。この時、蓋体２４の芯通路２４Ｅは垂直に位置して蓋固定部材１２の小芯出口１２Ａと合致し、小芯出口１２Ａが開かれて図９に示した状態となる。
【００１９】
また、芯３を複数本同時に排出したい場合には、図８の状態から蓋体２４を右に回転させる。すると、蓋体２４の回転軸２４Ｂに形成した突部２４Ｉが切溝１２Ｅより外れる。更に、蓋体２４を右に回転させると、蓋体２４の中間リブ２４Ｄが蓋固定部材１２の上部１２Ｃの右側面１２Ｈに当接される。同時に、回転軸２４Ｂに形成された突部２４Ｉが取付穴１２Ｄの右側の係合凹部１２Ｉに係合される。この時、蓋体２４の芯通路２４Ｅは垂直に位置して蓋固定部材１２の大芯出口１２Ｂと合致し、大芯出口１２Ｂが開かれて図１０に示した状態となる。
【実施例３】
【００２０】
図１１、図１２及び図１３に基づいて本発明の実施例３の替芯ケースを説明する。透明な合成樹脂製で構成された本体１１の表面に印刷を行い、かつ、上部に一部印刷を行っていない透明部分からなる表示窓１１Ｃを構成する。また、蓋体３４の表壁３４Ａ表面には、芯出口が閉じた表示、芯出口から芯３が１本排出可能な表示、及び、芯出口から芯３が複数本同時に排出可能な表示を印刷等で構成する。この表示としては、「閉」、「一」、「多」といった文字で表示したり、記号で表示したり、あるいは色で表示することが考えられる。
【００２１】
そして、文字で表示した例を説明すると、小芯出口及び大芯出口が閉じた図１１の状態では、閉じた表示を示す「閉」の表示が表示窓１１Ｃに表示される。次に、蓋体３４を左に回転させて小芯出口を開いた図１２の状態では芯３を１本づつ排出する表示を示す「一」の表示が表示窓１１Ｃに表示される。更に、蓋体３４を右に回転させて大芯出口を開いた図１３の状態では複数本の芯３を同時に排出する「多」の表示が表示窓１１Ｃに表示される。
【産業上の利用可能性】
【００２２】
蓋体を左に回転させて小芯出口を開くことにより芯が１本づつ排出でき、また、蓋体を右に回転させて大芯出口を開くことにより複数本の芯を同時に排出することができる。
【図面の簡単な説明】
【００２３】
【図１】本発明の実施例１の替芯ケースを示す断面図である。（実施例１）
【図２】図１のＡ−Ａ線を示す拡大断面図である。（実施例１）
【図３】実施例１の蓋体を示す背面図である。（実施例１）
【図４】実施例１の蓋体を示す拡大背面図である。（実施例１）
【図５】実施例１の替芯ケースにおいて、芯を１本のみ排出する状態を示す断面図である。（実施例１）
【図６】実施例１の替芯ケースにおいて、芯を複数本同時に排出する状態を示す断面図である。（実施例１）
【図７】実施例１の替芯ケースにおいて、蓋体の回転軸を変更した例を示す拡大背面図である。（実施例１）
【図８】実施例２の替芯ケースを示す主要部拡大断面図である。（実施例２）
【図９】実施例２の替芯ケースにおいて、芯を１本のみ排出する状態を示す主要部拡大断面図である。（実施例２）
【図１０】実施例２の替芯ケースにおいて、芯を複数本同時に排出する状態を示す主要部拡大断面図である。（実施例２）
【図１１】実施例３の替芯ケースにおいて、小芯出口及び大芯出口を閉じた状態を示す主要部拡大断面図である。（実施例３）
【図１２】実施例３の替芯ケースにおいて、芯を１本のみ排出した状態を示す主要部拡大断面図である。（実施例３）
【図１３】実施例３の替芯ケースにおいて、芯を複数本同時に排出した状態を示す主要部拡大断面図である。（実施例３）
【符号の説明】
【００２４】
１  本体
２  蓋固定部材
２Ａ  蓋固定部材２の小芯出口
２Ｂ  蓋固定部材２の大芯出口
２Ｄ  蓋固定部材２の取付穴
２Ｅ  蓋固定部材２の切溝
３  芯
４  蓋体
４Ｂ  蓋体４の回転軸
４Ｅ  蓋体４の芯通路
４Ｇ  蓋体４の下部
４Ｈ  蓋体４の隆起部
１１  本体
１２  蓋固定部材
１２Ａ  蓋固定部材１２の小芯出口
１２Ｂ  蓋固定部材１２の大芯出口
１２Ｄ  蓋固定部材１２の取付穴
１２Ｅ  蓋固定部材１２の切溝
１４  蓋体
１４Ｂ  蓋体１４の回転軸
２４  蓋体
２４Ｂ  蓋体２４の回転軸
２４Ｅ  蓋体２４の芯通路
３４  蓋体
【図１】
2008073859.tif 000003
【図２】
2008073859.tif 000004
【図３】
2008073859.tif 000005
【図４】
2008073859.tif 000006
【図５】
2008073859.tif 000007
【図６】
2008073859.tif 000008
【図７】
2008073859.tif 000009
【図８】
2008073859.tif 000010
【図９】
2008073859.tif 000011
【図１０】
2008073859.tif 000012
【図１１】
2008073859.tif 000013
【図１２】
2008073859.tif 000014
【図１３】
2008073859.tif 000015